(57)【要約】 【課題】  本考案は、床からの雨水などによる水の侵入を防ぐことができ、組立方法において道具を使用せず、単純に組立可能であり、自然環境に影響を与えにくく、希望する場所へ設置でき、快適に生活ができること提供する。【解決手段】  雨水の侵入を防ぐため床マット高さを高くし、段差の生じる入り口部分にスロープを設け、テントが自立できる構造として枠組は強度を強くする為に空気量調整を行った発泡スチロールを被せた鉄筋の構成によるものとし、火災報知器や防犯ブザーを設置し、又、円窓は大きめで天井も高く、靴等様々な物を収納できる収納袋を備え付けた事により課題を解決した。【選択図】  図２８
0003124392.tif 000002
【実用新案登録請求の範囲】
【請求項１】
強度を強くする為に空気量調整を行った発泡スチロールを被せた鉄筋を用いた枠組構造としたことを特徴とする組立式自立型多目的小規模テント。
【請求項２】
火災報知器及び防犯ブザーをテントに取り付けたことを特徴とする請求項１に記載の組立式自立型多目的小規模テント。
【請求項３】
水の侵入を避ける為に、床マットを地面より５センチメートル以上高くしたことを特徴としている請求項１又は請求項２までのいずれかの項に記載の組立式自立型多目的小規模テント。
【請求項４】
床マットを高くしている為、地面と床マット上部との段差に対応できるスロープが床マットと一体型となって設けられていることを特徴とする請求項１から請求項３までのいずれかの項に記載の組立式自立型多目的小規模テント。
【請求項５】
スロープ付き床マットの構成は分割された発泡スチロールとゴムシートが設けられたことを特徴とする請求項１から請求項４までのいずれかの項に記載の組立式自立型多目的小規模テント。
【請求項６】
スロープ付き床マットと枠組が接合される為に床マットにひもが設けられていることを特徴とする請求項１から請求項５までのいずれかの項に記載の組立式自立型多目的小規模テント。
【請求項７】
壁部に直接、靴等の収納袋を備え付けていることを特徴とする請求項１から請求項６までのいずれかの項に記載の組立式自立型多目的小規模テント。
【請求項８】
壁部に取り付ける収納袋を自由に設置することのできるボタンとテープが設けられたことを特徴とする請求項１から７までのいずれかの項に記載の組立式自立型多目的小規模テント。
【請求項９】
窓は円型で２分割されており、各々扇型の開閉手段が設けられていることを特徴とする請求項１から請求項８までの項に記載の組立式自立型多目的小規模テント。
【請求項１０】
入り口部のテント布は取替え可能で、テープとボタンの組合せににより構成されていることを特徴とする請求項１から請求項９までのいずれかの項に記載の組立式自立型多目的小規模テント。
【請求項１１】
窓は雨の侵入を防ぐために外側に小さい切れ目のある庇を装着していることを特徴とする請求項１から請求項１０までのいずれかの項に記載の組立式自立型多目的小規模テント。
【考案の詳細な説明】
【技術分野】
【０００１】
本考案は、可能な限り使用目的に対応できるテントであり、組立式自立型多目的小規模テントの特徴として、枠組構造が発砲スチロールを被せた鉄筋を用いていることにより、安定している組立式自立型多目的小規模テントに関するものである。
【背景技術】
【０００２】
現在、開示されている特許文献において発砲スチロールと鉄筋等の組み合わせによる文献はテントの枠組構造としては開示されておらず、建築工事の基礎部分に使用する場所打ち杭の処理工法において特開２００３−３４２９５１が開示されている。
【０００３】
前者の発明したものは本考案と組合わせ方法や使用目的の類似点がなく、異なるものであり、本考案の用途は現在ではまだ開示されているものが見つからない。
【０００４】
テントには、レジャー用、避難用、防災用、災害用、屋内用、屋外用等様々なものがすでに市場にて販売されており、用途に応じたテントを入手し、使用することは容易である。
【０００５】
しかし、テントの種類数だけ組立方法が多く存在し、大きく分けて屋外設置可能テント、
屋内設置可能テント、設置の際に組立てに必要な特殊な器具を使うもの、自然環境に何らかの影響を与えてしまうもの等がある。
【０００６】
例えば、屋外テントを組み立てる際に、地面に杭を打ち付けたり、木の枝にテントのひもを巻き付けたり、自然の環境に何らかの影響を与えてしまう可能性がある。
【０００７】
雨水等、床下からの侵入が避けられない。
【０００８】
テントを最も必要とする人は災害に遭遇し、住居を奪われた被災者である。
【０００９】
昨今、被災者が避難場所として自家用車を利用し続けた為、手足を十分伸ばすことのできない状況が続き、エコノミークラス症候群にかかる等の報道がなされ、結果的に被災者が健康に支障をきたす事例もある。
【００１０】
又、被災者は、避難場所としてプレハブが設置されるまでに何日も体育館や公民館等での窮屈な共同生活を強いられている。
【００１１】
被災者家族には、今後の生活や将来に向けて落ち着いて話し合える場所がない。
【００１２】
テント自体があまり活用されていない。
【特許文献１】特開２００３−３４２９５１公報
【考案の開示】
【考案が解決しようとする課題】
【００１３】
床からの雨水などによる水の侵入を防ぐことができる用にする。
【００１４】
テントが緊急時等いつでも使用できる用に、常備、保管しやすい形態を作る。
【００１５】
テントの組立方法において道具を使用せず、単純に組立可能であること。
【００１６】
自然環境に影響を与えにくいこと。
【００１７】
屋内、屋外を分けることなく希望する場所へテントを設置できること。
【００１８】
安定感のある枠組構造を作りだすことが必要である。
【００１９】
安全に安心して休める空間を作り、少しでも快適に生活ができること。
【課題を解決するための手段】
【００２０】
前記段落番号００１３の解決手段として、床マットの構成は分割された発泡スチロールとゴムシートが設けられたもので、床マットの布に出し入れ自由な形態であり、雨水の侵入を防ぐため床マット高さを高くし、段差の生じる入り口部分にスロープを設けて人の出入りをしやすくする。
【００２１】
前記段落番号００１４の解決手段として、テントの構成を、枠組、テント布、スロープ付き床マット、合成樹脂材料等で構成された円窓、入り口部取り替え可能な布ドアとして小各々分離されており、それぞれを全てまとめて一つの箱に収納できる寸法に形成する。
【００２２】
本考案のテントは前記段落番号００１５の解決手段として、テント枠組が、床梁、柱、天井梁、各々の端部にはねじが埋め込まれており、色分けと番号等で区別された端部同士を色と番号の順番等を考慮しながら手動で締め合わせることにより、枠組の組立が単純にできるようにする。
【００２３】
前記段落番号００１６，００１７の解決手段として、テントが自立できる構造として枠組構造とした。
【００２４】
前記の段落番号００１８の問題を解決するための手段として、テント枠組は強度を強くする為に空気量調整を行った発泡スチロールを被せた鉄筋の構成によるものとする。
【００２５】
前記段落番号２０において記載しているように枠組をねじで十分に接合させるのであるが、更に、テントの安定感を追求し、スロープ付き床マットが枠組の土台になるように、スロープ付き床マット上部に枠組を乗せ、スロープ付き床マットの後部に設けられたひもを引っ張り締め付けて結ぶ事により、スロープ付き床マットが枠組を包み込む形となり、スロープ付き床マットと枠組が一体化したテント構造を作りだす。
【００２６】
前記段落番号００１９に記載の安全への対策としてテントの内部に火災報知器を設置する。
【００２７】
又、安心してテント内の生活を送る為に、入り口部のテント内部にひも状の鍵を装着したり、テント内で体を休める際には、取り替え可能な防犯ブザーの付いた布ドアに交換できるようにする。
【００２８】
テントの中にいる人がテントの外へ緊急に出たいとき等は、開口部の布の構成がボタンとテープで作られていることを特徴としている布ドアを剥がしたり、テントの内側に付いたファスナーを下におろす等して、外への人の移動が早めに行える事とする。
【００２９】
テントの円窓は大きめにし、天井も高くし、更に、入り口部以外の開口部の円窓に対して外部から窓を開けにくい状態にする。
【００３０】
テント生活が快適にできるように、靴等様々な物を収納できる収納袋を設置する。
【００３１】
前記段落番号００３０に記載の収納袋を設置するために、テント内外問わず袋を設置したい場所へ取り付け可能になるよう、テントの何箇所かに収納袋ボタン取り付け可能な切れ目を設け、更に、切れ目と交互にテープを貼り付ける。
【考案の効果】
【００３２】
本考案の組立式自立型多目的小規模テントは、レジャー用、避難用、防災用、災害用、屋内用、屋外用等様々な利用方法に対し対応が可能なものとなり、地面に穴を開ける作業もなく、自然環境に与える影響は少ない。
【００３３】
テント内に火災報知器等のブザー、入り口部のテント内側からは簡単なひも状の鍵を備え付けたり、他者からの侵入を防ぎたい時は、取外し可能な防犯ブザーが装着されている取り替え用の布ドアに交換したりすることにおいて、安心してテント内で体を休めて、静かで落ち着いた環境を整えることができる。
【００３４】
テント内は、天井を高くしているので圧迫感を和らげる事ができる。
【００３５】
円窓は扇型でテント内側からは円窓に装着されている取ってを利用すると片手で容易に開閉可能になる形態である。
【００３６】
又、円窓は防犯上の面でテントの外側の円窓には、取ってはついていない為、外側からの開閉が困難であり外部からの不審者の侵入を防げることができる。
【００３７】
本考案のテントは、テントの布のファスナーの取ってが内側にあり、テント内から急いでテント外へ出たい時、ファスナーを下げる事により外へ出でることができ緊急時に対応できる。
【００３８】
又、テント内部で緊急事態が起こった場合には、入り口部の布ドアの特徴を生かし、布ドアを容易に剥がして、外から中へ又は中から外へ人がスムーズに移動できるようになっており、テント内に閉じこめられる危険性がうすい。
【００３９】
本考案のテントは、雨水等が地面から侵入するおそれを想定し、床マットを５センチメートル以上高くしている為、段差が生じているが入口部には床マットと一体型となったスロープを設けているのでバリアフリー対応型である。
【００４０】
本考案テントの壁部に靴等様々な物を収納できる収納袋が設置できるように、収納袋ボタン取り付け可能な切れ目を設け、テープとボタンを交互に貼り付け、テント内外問わず袋を設置したい場所へ取り付けることができるようにしているので、テント生活快適にできる。
【００４１】
枠組の台としてスロープ付き床マットが床の重量として、枠組を包み込む形となっている為、より安定した枠組状態を作り出している。
【００４２】
多目的としている本考案のテントを利用することで、地域医療における医師の往診や献血等、医療用大型バスを利用することなく様々な場所へ頻繁に出かけることができ、医療の向上に役立つ。
【考案を実施するための最良の形態】
【００４３】
以下、本考案の実施の形態として実施例を図１〜図３０に基づいて説明する。
【００４４】
図１から図３は、枠組の組立前の形状であり、図４から図６はそれぞれの部分の本数を全て示し、図７から図８で組立方法を説明していて、ねじの凹の部分は静止して、凸の部分は手前から外側に向けてねじを回して組み合わせていくと、図９から図１０のように全ての枠組のパーツが収まって出来上がっていきます。
【００４５】
図１１から図１５は円窓の内部構成を表していおり、窓枠の図１１は図１４の扇形の窓をうまく支える為の窓枠で、図１２はテント構成の説明で、窓枠を付けた布と窓枠の付いていない布の張り合わせによりできた二重構造になっています。
図１４は両側の円窓が磁器によりきちんと合わされてきれいに閉まっている様です。
図１５は外側の円窓部分に庇となる布を装着して、円窓外周が完成した図です。
【００４６】
図１０の枠組を図１７のスロープ付き床マットに乗せ後部のひもを結ぶと図１８のように一体型となった安定したテント枠組ができ、その上に図１６のテント布を被せファスナーを閉めると、テントは完成する。
【００４７】
図２０は、取り替え式布ドアをボタンとテープで取り付けたテントの正面からの図で、正面には図２１の開口部が斜めになった収納袋が備え付けられており、図２２は、テント内部から見たひも状施錠方法で、図２３は防犯ブザーが取り付けられた布ドアに交換したようすである。
【図面の簡単な説明】
【００４８】
【図１】枠組の梁の角に当たる部分を表しており、中央部、端部にねじの凹が設けられていることを表す図。
【図２】梁を表しており、角に当たる部分との接続のために両方にねじの凸が設けられていることを表す図。
【図３】２分割された柱であり、柱同士の接合や梁との接続ために両方の端部ともねじの凸の部分が設けられているものと、凹凸を設けたものがあることを示す図。
【図４】床梁の全てのパーツの組立前の状態を表している図。
【図５】柱の全てのパーツの組立前の状態を表している図。
【図６】天井梁の全てのパーツの組立前の状態を表している図。
【図７】手動で柱のねじをはめ込む作業を表している図。
【図８】手動で梁のねじをはめ込む作業を表している図。
【図９】それぞれのパーツの収まり方を表している図。
【図１０】枠組の組立の完成状態を表している図。
【図１１】テント円窓の枠内部の構造を表している図。
【図１２】テントが２重構造となっていることを示している図。
【図１３】合成樹脂と磁石等を利用して構成された扇型の円窓を窓枠にはめ込む様子と円窓の開き方の説明図。
【図１４】円窓をきれいに閉じた状態を表す図。
【図１５】雨の侵入を防ぐために円窓の外周部に沿って設けられた庇の装着方法と装着後の説明図。
【図１６】テントカバーを広げた平面図。
【図１７】スロープ付きマットの平面図。
【図１８】テント布カバーと枠組みの組合せ方の説明図。
【図１９】スロープ付き床マットと枠組が一体化していることを表す図１８の拡大図。
【図２０】のれん型の布ドアを取り付けたテントの正面図。
【図２１】収納口が斜めになった収納袋平面図。
【図２２】テント内部から見たテントの施錠方法等を示した図。
【図２３】防犯ブザー付きの布ドアに取り替えた様子を表している図。
【図２４】完成したテントの正面図。
【図２５】完成したテントの正面から向かって右側面を示している図。
【図２６】完成したテントの正面から向かって左側面を示している図。
【図２７】完成したテントの後面を示している図。
【図２８】完成したテントの立体を斜めから見た図。
【図１】
0003124392.tif 000003
【図２】
0003124392.tif 000004
【図３】
0003124392.tif 000005
【図４】
0003124392.tif 000006
【図５】
0003124392.tif 000007
【図６】
0003124392.tif 000008
【図７】
0003124392.tif 000009
【図８】
0003124392.tif 000010
【図９】
0003124392.tif 000011
【図１０】
0003124392.tif 000012
【図１１】
0003124392.tif 000013
【図１２】
0003124392.tif 000014
【図１３】
0003124392.tif 000015
【図１４】
0003124392.tif 000016
【図１５】
0003124392.tif 000017
【図１６】
0003124392.tif 000018
【図１７】
0003124392.tif 000019
【図１８】
0003124392.tif 000020
【図１９】
0003124392.tif 000021
【図２０】
0003124392.tif 000022
【図２１】
0003124392.tif 000023
【図２２】
0003124392.tif 000024
【図２３】
0003124392.tif 000025
【図２４】
0003124392.tif 000026
【図２５】
0003124392.tif 000027
【図２６】
0003124392.tif 000028
【図２７】
0003124392.tif 000029
【図２８】
0003124392.tif 000030